(57)【要約】【課題】主に、屋根パネルと天井パネルとを、間に隙間を有した状態で固定するのに要する手間や時間を削減し得るようにする。【解決手段】屋根パネル２３と天井パネル２７とを固定して天井付き屋根パネル８を形成する天井吊り金具７に関する。  天井吊り金具７は、対向する一対の縦板部１１，１２と、縦板部１１，１２の一側部間を連結する連結板部１３とを有するものとされる。  連結板部１３は、縦板部１１，１２の一側面よりも外方へ突出する突出部１５としても良い。  一対の縦板部１１，１２は、高さ１７，１８が異なるようにしても良い。【選択図】図４Ａ
2020066917.tif 000002
【特許請求の範囲】
【請求項１】
対向する一対の縦板部と、該縦板部の一側部間を連結する連結板部とを有することを特徴とする天井吊り金具。
【請求項２】
前記連結板部は、前記縦板部の一側面よりも外方へ突出する突出部となっていることを特徴とする請求項１に記載の天井吊り金具。
【請求項３】
一対の前記縦板部は、高さが異なっていることを特徴とする請求項１または請求項２に記載の天井吊り金具。
【請求項４】
屋根枠体の上面に野地板を取り付けて構成される屋根パネルの下側に、天井枠体に天井面材を取り付けて構成される天井パネルが配置され、屋根パネルと天井パネルとが、請求項１ないし請求項３のいずれか１項に記載の天井吊り金具で一体的に固定されると共に、屋根パネルと天井パネルは、前記天井吊り金具に設けられた隙間形成部によって隙間が形成された状態で離間配置されていることを特徴とする天井付き屋根パネル。
【請求項５】
前記隙間形成部は、前記天井吊り金具の高さ方向の中間部に設けられていることを特徴とする請求項４に記載の天井付き屋根パネル。
【請求項６】
前記隙間形成部は、前記屋根枠体と前記天井枠体の間に介在されることを特徴とする請求項４または請求項５に記載の天井付き屋根パネル。
【請求項７】
前記天井枠体の内側には、断熱材が設けられていることを特徴とする請求項４ないし請求項６のいずれか１項に記載の天井付き屋根パネル。
【発明の詳細な説明】
【技術分野】
【０００１】
この発明は、天井吊り金具および天井付き屋根パネルに関するものである。
【背景技術】
【０００２】
住宅などの建物には、屋根に対して直接天井を固定したものが存在している（例えば、特許文献１〜３参照）。この場合、屋根と天井は天井吊り金具によって固定されると共に、屋根と天井との間には、通気などのための隙間が形成される。
【先行技術文献】
【特許文献】
【０００３】
【特許文献１】特開平８−２３２３８７号公報
【特許文献２】特開平９−４９２８５号公報
【特許文献３】実開昭５４−１７７０２５号公報
【発明の概要】
【発明が解決しようとする課題】
【０００４】
しかしながら、上記特許文献に記載された天井吊り金具は、いずれも、単に屋根に天井を取付けるだけのものとなっており、通気などのための隙間を確保するための機能を特に備えていなかった。そのため、通気などのための隙間を形成するのに手間や時間がかかっていた。
【０００５】
そこで、本発明は、主に、上記した問題点を解決することを目的としている。
【課題を解決するための手段】
【０００６】
上記課題を解決するために、本発明は、対向する一対の縦板部と、該縦板部の一側部間を連結する連結板部とを有する天井吊り金具を特徴とする。
【発明の効果】
【０００７】
本発明によれば、上記構成によって、屋根と天井とを、間に隙間を有した状態で固定するのに要する手間や時間を削減できる。
【図面の簡単な説明】
【０００８】
【図１】本実施の形態にかかる天井付き屋根パネルを備えた建物の一部を示す斜視図である。
【図２】図１の建物に対する天井付き屋根パネルの設置状況を示す縦断面図である。
【図３Ａ】図２の天井付き屋根パネルの側面図である。
【図３Ｂ】図２の天井付き屋根パネルの他の例を示す側面図である。
【図４Ａ】天井付き屋根パネルに用いる天井吊り金具の斜視図である。
【図４Ｂ】図４Ａの天井吊り金具の変形例の斜視図である。
【図５】（ａ）は天井吊り金具を一方の縦板部の側から見た図、（ｂ）は天井吊り金具を連結板部（隙間形成部）の側から見た図、（ｃ）は天井吊り金具を他方の縦板部の側から見た図、（ｄ）は天井吊り金具を上方から見た図である。
【図６】天井吊り金具を屋根パネルと天井パネルとの間に取付けた状態を示す側面図である（図３ＡのＡ−Ａ線に沿った断面図）。
【図７】天井吊り金具が取付けられた天井パネルに断熱材を取付ける状態を示す側面図である。
【図８】（ａ）は図７のＢ部の拡大図、（ｂ）は（ａ）の平面図、（ｃ）は（ａ）を図の左側から見た図である。
【図９】（ａ）は図７のＣ部の拡大図、（ｂ）は（ａ）の平面図、（ｃ）は（ａ）を図の左側から見た図である。
【図１０】天井パネルに断熱材を取付けた状態を示す平面図である。
【発明を実施するための形態】
【０００９】
以下、本実施の形態を、図面を用いて詳細に説明する。
図１〜図１０は、この実施の形態を説明するためのものである。
【実施例１】
【００１０】
＜構成＞以下、構成について説明する。
【００１１】
図１は、住宅などの建物１の一部を示す斜視図である。この建物１は、ユニット建物とされている。ユニット建物は、工場で予め製造した建物ユニット２を建築現場へ搬送して、建築現場で組み立てることにより、短期間のうちに建物１を構築し得るようにしたものである。
【００１２】
そして、建物ユニット２を組み立てることによって建物本体３が構成され、建物本体３の上に屋根ユニット４を設置することによって建物１の屋根５が構成される。この屋根５は、傾斜屋根によって構成された片流れ屋根などとなっている。なお、図では、１つの建物ユニット２の上に１つの屋根ユニット４を設置した状態を示している。
【００１３】
以下、ユニット建物の例として説明するが、この実施例の屋根構造を適用可能な建物１は、ユニット建物に限るものではなく、各種の建物１に適用できる。また、この実施例の屋根構造を適用可能な屋根５は、片流れ屋根に限るものではなく、各種の形状の屋根５に適用できる。
【００１４】
上記した屋根ユニット４は、図２（〜図３Ｂ）に示すように、屋根５に対して天井６を、天井吊り金具７を用いて取付けた天井付き屋根パネル８を有している。天井吊り金具７は、図４Ａ（図５）に示すような金具である。そして、天井吊り金具７は、図６に示すように、屋根５に天井６を吊り下げるように取付ける際に使われる。天井付き屋根パネル８は、工場で予め製造された後に、屋根ユニット４の上部に設置される。
【００１５】
（１）以下、天井吊り金具７について説明する。
【００１６】
図４Ａ（図５）に示すように、天井吊り金具７は、対向する一対の縦板部１１，１２と、縦板部１１，１２の一側部間を連結する連結板部１３とを有するものとされる。
【００１７】
ここで、縦板部１１，１２は、屋根５または天井６のいずれかの面に対してほぼ垂直な方向へ延びる平坦な板状の部分とされる。対向する一対の縦板部１１，１２は、板面を対向させた状態でほぼ平行に配置されるのが好ましい。なお、一対の縦板部１１，１２は、少なくとも一部（特に下部）が、一定の間隔１４とされる。また、縦板部１１，１２は、それぞれ矩形板状のものとするのが好ましいが、図４Ｂの変形例に示すように、少なくとも一方を矩形位置状以外の四角形（例えば、平行四辺形や台形）やその他の形状などにすることができる。また、縦板部１１，１２は、必要に応じて、図４Ｂに矢印で示すように、一部（例えば、縦板部１２の上部）を面外方向にねじった形状などとすることも可能である。
【００１８】
縦板部１１，１２の一側部は、一対の縦板部１１，１２の同じ側となる側部のことである。一側部は、どちらの側部としても良い。
【００１９】
連結板部１３は、一対の縦板部１１，１２の一側部間を連結する平坦な板状の部分である。連結板部１３は、一対の縦板部１１，１２の面に対してほぼ直交する面を有するのが好ましい。連結板部１３と一対の縦板部１１，１２は、一枚の金属製の板材を曲げ加工して形成するのが好ましい。
【００２０】
（２）連結板部１３は、縦板部１１，１２の一側面よりも外方へ突出する突出部１５を有しても良い。
【００２１】
ここで、連結板部１３は、突出部１５としなくても良いが、突出部１５にするのが好ましい。外方は、縦板部１１，１２の一側面から、縦板部１１，１２の面方向に離れた方向のことである。突出部１５は、連結板部１３の全部または一部が突出していれば良い。この実施例では、連結板部１３の全体（特に上端部と下端部）が突出部１５とされている。
【００２２】
突出部１５は、縦板部１１，１２の一側面の位置に対して、僅かにでも外方へ位置していれば良い。この実施例では、連結板部１３は、その厚み分程度またはそれ以上の突出量１６（図５）を有して縦板部１１，１２の一側面よりも外方に位置するように形成されている。
【００２３】
（３）一対の縦板部１１，１２は、高さ１７，１８を異ならせても良い。
【００２４】
ここで、対向する一対の縦板部１１，１２は、高さ１７，１８を同じに揃えても良いが、高さ１７，１８を異ならせるのが好ましい。この実施例では、一対の縦板部１１，１２は、下端部の位置をほぼ揃えた状態で、上端部の位置を違えることで、高さ１７，１８を異ならせている。これにより、天井吊り金具７は、図６に示すように、低い方の縦板部１１（または第一の縦板部１１）が屋根５や天井６の内側に位置し、高い方の縦板部１２（または第二の縦板部１２）が屋根５や天井６の外側に位置するようにして使用するのが好ましいものとなる。
【００２５】
（４）以下、上記天井吊り金具７を用いて構成される天井付き屋根パネル８について説明する。
【００２６】
図２（図３Ａ、図３Ｂ）に示すように、天井付き屋根パネル８は、屋根枠体２１の上面に野地板２２を取り付けて構成される屋根パネル２３の下側に、天井枠体２５に天井面材２６を取り付けて構成される天井パネル２７が配置され、屋根パネル２３と天井パネル２７とが、上記した天井吊り金具７で一体的に固定されたものとされる。そして、天井付き屋根パネル８は、屋根パネル２３と天井パネル２７とが、天井吊り金具７に設けられた隙間形成部２８によって隙間２９が形成された状態で離間配置される。
【００２７】
ここで、屋根枠体２１は、縦枠材３１と横枠材３２とをほぼ矩形状に組み合わせたものなどとされる。屋根枠体２１の縦枠材３１や横枠材３２には、例えば、２×４材などの規格材を用いることができる。２×４材は、幅が約８９ｍｍ、厚みが約３８ｍｍの角材である。２×４材は、縦向きの状態で屋根枠体２１に組み立てられる。縦向きの状態とは、２×４材の幅を屋根パネル２３の面と垂直に向けた状態である。屋根枠体２１の内部には、横桟や母屋などの補助材３３を適宜設置することができる。
【００２８】
野地板２２は、屋根５の下地材として屋根枠体２１の上に設置される。
【００２９】
屋根パネル２３は、屋根ユニット４の上面の屋根５を構成するパネルであり、野地板２２の上には、防水シートなどを介して屋根葺材などが設置される。この実施例では、屋根パネル２３は、１枚で１つの屋根ユニット４の上面全体を覆うような大型のものとされている。
【００３０】
天井枠体２５は、縦枠材３４と横枠材３５とをほぼ矩形状に組み合わせたものなどとされる。天井枠体２５の縦枠材３４や横枠材３５には、屋根枠体２１の縦枠材３１や横枠材３２と同じもの（例えば、２×４材などの規格材）を同じように使用するのが好ましい。天井枠体２５の内部には、横桟や木桟などの補助材３６を適宜設置することができる。
【００３１】
天井面材２６には、例えば、石膏ボードなどが用いられる。
【００３２】
天井パネル２７は、天井６を構成するパネルである。天井パネル２７は、屋根パネル２３よりも小型のものとされる。天井パネル２７は、屋根パネル２３と比べて、屋根５の流れ方向（図３Ａの左右方向）に対しては短く、横方向（図３Ａの紙面と垂直な方向）に対してはほぼ同じかそれよりも短い寸法のものとするのが好ましい。そして、天井吊り金具７は、主に、天井パネル２７と屋根パネル２３の幅方向（横方向）の両側部間（屋根枠体２１の縦枠材３１と、天井枠体２５の縦枠材３４との間）などに取付けられる。この実施例では、図３Ａが小屋裏部分の天井６を構成する天井パネル２７を屋根パネル２３に取付けた天井付き屋根パネル８となっており、図３Ｂが傾斜天井を構成する天井パネル２７を屋根パネル２３に取付けた天井付き屋根パネル８となっている。
【００３３】
天井吊り金具７は、上記したように、屋根パネル２３と天井パネル２７とを直接固定するための金具である。天井吊り金具７は、主に、屋根パネル２３の縦枠材３１と天井パネル２７の縦枠材３４との間に、縦枠材３１，３４の長手方向に沿い所要の間隔１４を有して複数設けられる。なお、図４Ｂに矢印で示すように、縦板部１１，１２の一部（例えば、縦板部１２の上部）をねじるよう変形した状態にすれば、屋根パネル２３の縦枠材３１と天井パネル２７の横枠材３５との間や、屋根パネル２３の横枠材３２と天井パネル２７の縦枠材３４との間に天井吊り金具７を取付けることなども可能になる。
【００３４】
隙間形成部２８は、屋根パネル２３と天井パネル２７との間に隙間２９を形成するために設けられる部分のことである。隙間形成部２８を設けることによって、特に屋根パネル２３や天井パネル２７に対して位置出しなどを行うことなく、屋根パネル２３と天井パネル２７との間に簡単に正確な隙間２９を作り出すことができる。この実施例では、突出部１５とされた連結板部１３を隙間形成部２８としている。屋根パネル２３と天井パネル２７との間に連結板部１３が介在されることによって隙間２９が形成される。そして、連結板部１３の高さ寸法３７（図５）によって、隙間２９が設定される。隙間形成部２８については後述する。なお、隙間形成部２８は、連結板部１３とは別に設けても良い。
【００３５】
隙間２９は、通気などのためのものである。この実施例では、隙間２９は、屋根パネル２３や天井パネル２７の厚み程度、またはそれよりも若干大きいか小さいものなどとされている。この実施例では、屋根パネル２３と天井パネル２７との間の隙間２９は、図４Ａの天井吊り金具７を用いることで全体に一定とされているが、例えば、図４Ｂのような短い縦板部１１の上端部１１ｂを傾斜させた天井吊り金具７Ａを用いることで、屋根パネル２３と天井パネル２７との間の隙間２９を全体に一定でなくすることもできる。
【００３６】
（５）隙間形成部２８は、天井吊り金具７の高さ方向の中間部に設けられても良い。
【００３７】
ここで、天井吊り金具７の高さ方向は、縦板部１１，１２の高さ１７，１８に沿った方向となる。天井吊り金具７の高さ方向の中間部とは、高い方の縦板部１２の高さ方向の中間部のことである。図４Ａでは、隙間形成部２８は、その上端部２８ａを、低い方の縦板部１１の上端部１１ａの位置にほぼ揃えた状態で形成されている。但し、隙間形成部２８の上端部２８ａと、低い方の縦板部１１の上端部１１ａとの間には、若干の高さ方向の位置ズレや段差などがあっても許容される。
【００３８】
このように、隙間形成部２８を天井吊り金具７の高さ方向の中間部に設けることにより、低い方の縦板部１１には、下部に隙間形成部２８のない部分が形成される。また、高い方の縦板部１２には、下部と上部に隙間形成部２８のない部分が形成される。
【００３９】
このうち、低い方の縦板部１１の下部の隙間形成部２８のない部分が、天井枠体２５に対する取付部（天井取付部４１）となる。天井取付部４１は、天井枠体２５の高さ、または、天井枠体２５を構成する縦枠材３４や横枠材３５の幅寸法とほぼ等しいかそれよりも短い長さ（高さ）に形成される。天井取付部４１にはネジなどの固定具４２を横から（天井枠体２５の内側から）取付けるための取付孔４３が形成される。
【００４０】
また、高い方の縦板部１２の下部の隙間形成部２８のない部分が、天井取付部４１と平行に対峙して天井枠体２５を（縦枠材３４や横枠材３５の厚み方向に）挟み込む天井挟着部４４となる。天井挟着部４４は、天井枠体２５の高さ、または、天井枠体２５を構成する縦枠材３４や横枠材３５の幅寸法とほぼ等しいかそれよりも短い長さ（高さ）に形成される。そして、天井取付部４１と天井挟着部４４との間隔１４は、天井枠体２５を構成する縦枠材３４や横枠材３５の厚みとほぼ等しい寸法に形成される。天井取付部４１と天井挟着部４４との間隔１４は、隙間形成部２８の幅寸法と同じに設定される。なお、天井挟着部４４には、必要に応じて、天井取付部４１と同様に、固定具４２を横から（天井枠体２５の外側から）取付けるための取付孔などを設けても良い。
【００４１】
そして、高い方の縦板部１２の上部の隙間形成部２８のない部分が、屋根枠体２１に対する取付部（屋根取付部４７）となる。屋根取付部４７は、屋根枠体２１の高さ、または、屋根枠体２１を構成する縦枠材３１や横枠材３２の幅寸法とほぼ等しいかそれよりも短い長さ（高さ）に形成される。屋根取付部４７にはネジなどの固定具４２を横から（屋根枠体２１の外側から）取付けるための取付孔４９が形成される。
【００４２】
（６）隙間形成部２８は、屋根枠体２１と天井枠体２５の間に介在されても良い。
【００４３】
ここで、屋根枠体２１と天井枠体２５の間に介在されるとは、隙間形成部２８が、屋根枠体２１と天井枠体２５との間に位置することであり、隙間形成部２８が、屋根枠体２１と天井枠体２５との間に位置することによって隙間２９が自然に確保・形成されることである。
【００４４】
例えば、工場の床面などの平坦な場所に天井パネル２７を設置し、天井パネル２７の天井枠体２５に対して上から天井吊り金具７を取付け、天井パネル２７の上に屋根パネル２３を配置して、天井吊り金具７の上部に屋根パネル２３の屋根枠体２１を固定する。これにより、屋根枠体２１と天井枠体２５が直接且つ一体に固定され、屋根枠体２１と天井枠体２５との間に隙間形成部２８が介在される。そして、隙間形成部２８が介在されることで、屋根枠体２１と天井枠体２５とが、隙間形成部２８の高さ寸法３７よりも近接できなくなる。これによって、屋根枠体２１と天井枠体２５との間に通気などのための隙間２９が形成される。
【００４５】
（７）図７に示すように、天井枠体２５の内側には、断熱材５１が設けられても良い。
【００４６】
ここで、断熱材５１はどのようなものとしても良いが、断熱材５１には、例えば、グラスウールなどの厚手のものなどを使用できる。断熱材５１は、天井枠体２５の内側に対し、図１０に示すように、天井枠体２５の内部全体を覆うように取付けられる。
【００４７】
＜作用＞以下、この実施例の作用について説明する。
【００４８】
天井パネル２７（の天井枠体２５）と屋根パネル２３（の屋根枠体２１）とを天井吊り金具７で一体に固定して、天井付き屋根パネル８を形成する。
【００４９】
具体的には、工場の床面などの平坦な場所に天井枠体２５を設置し（または組み立て）、天井枠体２５に対して上から天井吊り金具７を取付ける。
【００５０】
この際、天井吊り金具７は、天井取付部４１と天井挟着部４４とで天井枠体２５（の縦枠材３４など）を、（縦枠材３４などの厚み方向に）挟み込むように下部を天井枠体２５に取付ける。そして、天井取付部４１と天井枠体２５とを天井枠体２５の内側からネジなどの固定具４２で固定する。
【００５１】
次に、天井枠体２５の内側に断熱材５１を設置する。断熱材５１は、天井枠体２５に対して、天井吊り金具７を取付けた後、屋根枠体２１の取付け前に設置される。断熱材５１の設置後には、断熱材５１がズレないように、例えば、樹脂製などのバンド５２で押さえてビス５３などで天井枠体２５に固定しておく。
【００５２】
最後に、天井パネル２７の上に屋根パネル２３を配置して、天井吊り金具７の上に屋根枠体２１を取付ける。
【００５３】
この際、屋根枠体２１は、屋根取付部４７の内面に（縦枠材３１などが）接するように設置する。そして、屋根取付部４７と屋根枠体２１とを屋根枠体２１の外側からネジなどの固定具４２で固定する。これにより、簡単且つ短時間のうちに、屋根枠体２１と天井枠体２５が固定されて天井付き屋根パネル８が完成する。
【００５４】
そして、屋根枠体２１と天井枠体２５との間に隙間形成部２８が介在されることによって、屋根枠体２１と天井枠体２５との間には、通気などのための隙間２９が形成される。この通気などのための隙間２９は、隙間形成部２８の高さ寸法３７によって大きさを設定される。
【００５５】
この際、天井吊り金具７は、縦板部１１，１２の側部を横桟や木桟などの補助材３６に当てて、天井枠体２５の縦枠材３４や横枠材３５の長手方向に対する位置決めを行わせるようにする。
【００５６】
＜効果＞この実施例によれば、以下のような効果を得ることができる。
【００５７】
（効果 １）天井吊り金具７は、屋根パネル２３と天井パネル２７とを取付ける（または、屋根パネル２３から天井パネル２７とを吊る）ために用いる金具である。この際、天井吊り金具７は、対向する一対の縦板部１１，１２と、連結板部１３とで構成しても良い。これにより、屋根パネル２３と天井パネル２７に対して対向する一対の縦板部１１，１２を取付けると共に、屋根パネル２３と天井パネル２７との間に連結板部１３を介在させることができるようになる。そのため、連結板部１３を介在させることで、屋根パネル２３と天井パネル２７とを、通気などのための所要の隙間２９を間に有した状態で取付けることが容易になり、屋根パネル２３と天井パネル２７とを取付けるのに要する作業時間を短縮することができる。また、屋根パネル２３と天井パネル２７とを取付ける際に、連結板部１３を基準にしてそれぞれ位置合わせを行ったり、屋根パネル２３と天井パネル２７との間の隙間２９の精度出しを行ったりすることが容易になる。
【００５８】
（効果 ２）連結板部１３は、縦板部１１，１２の一側面よりも外方へ突出する突出部１５としても良い。これにより、連結板部１３が突出部１５となっているので、屋根パネル２３と天井パネル２７との間に連結板部１３を介在させ易くなり、連結板部１３（突出部１５）がスペーサとしてうまく機能するので、屋根パネル２３と天井パネル２７とを取付ける際に、連結板部１３を基準にしてそれぞれ位置合わせを行ったり、屋根パネル２３と天井パネル２７との間の隙間２９の精度出しを行ったりすることが容易にできる。
【００５９】
（効果 ３）一対の縦板部１１，１２は、高さ１７，１８を異ならせても良い。これにより、屋根パネル２３と天井パネル２７に対して対向する一対の縦板部１１，１２を取付ける際に、取付けの邪魔となる部分や不要な部分などをなくして、屋根パネル２３や天井パネル２７に縦板部１１，１２を取付け易くすることができる。
【００６０】
（効果 ４）屋根枠体２１の上面に野地板２２を取り付けて構成される屋根パネル２３の下側に、天井枠体２５に天井面材２６を取り付けて構成される天井パネル２７を配置し、これらを天井吊り金具７で一体的に固定することで天井付き屋根パネル８を形成しても良い。これにより、屋根パネル２３と天井パネル２７とが天井吊り金具７によって一体とされた天井付き屋根パネル８を容易に得ることができる。このような天井付き屋根パネル８は、小屋裏となる部分や傾斜天井となる部分などを有する屋根５（屋根ユニット４）に使用できるものとなる。
【００６１】
そして、屋根パネル２３と天井パネル２７は、天井吊り金具７に設けられた隙間形成部２８によって隙間２９が形成された状態で離間配置されても良い。これにより、天井吊り金具７の隙間形成部２８を用いて通気などのための隙間２９を容易に形成することができる。この天井付き屋根パネル８は、上記した天井吊り金具７と同様の作用効果を得ることができる。
【００６２】
（効果 ５）隙間形成部２８は、天井吊り金具７の高さ方向の中間部に設けても良い。これにより、屋根枠体２１と天井枠体２５との間に天井吊り金具７を取付けるだけで、天井吊り金具７の高さ方向の中間部に設けられた隙間形成部２８を屋根枠体２１と天井枠体２５との間に位置させることができる。そのため、天井吊り金具７を、屋根枠体２１と天井枠体２５との間に隙間２９を形成し易い構造にすることができる。
【００６３】
（効果 ６）隙間形成部２８は、屋根枠体２１と天井枠体２５の間に介在させても良い。これにより、天井吊り金具７の上部を屋根枠体２１に取付け、天井吊り金具７の下部を天井枠体２５に取付けたときに、屋根枠体２１と天井枠体２５の間に介在された隙間形成部２８によって屋根枠体２１と天井枠体２５との隙間２９を直接且つ正確に確保することができる。また、隙間形成部２８が介在されていることによって、天井付き屋根パネル８は、上記隙間２９を常時保つことができる。
【００６４】
（効果 ７）天井枠体２５の内側に断熱材５１を設けても良い。これにより、天井パネル２７が断熱材５１を有することで、屋外から居室内への入熱を断熱材５１によって低減できる。そして、天井パネル２７に対して、天井吊り金具７は天井枠体２５の部分に取付けられるため、断熱材５１は、天井吊り金具７と干渉しないように天井枠体２５の内側に取付けることが可能になる。よって、天井吊り金具７の部分でも断熱材５１による断熱性を保持することができる。
【符号の説明】
【００６５】
７      天井吊り金具
１１    縦板部
１２    縦板部
１３    連結板部
１５    突出部
１７    高さ
１８    高さ
２１    屋根枠体
２２    野地板
２３    屋根パネル
２５    天井枠体
２６    天井面材
２７    天井パネル
２８    隙間形成部
２９    隙間
５１    断熱材
【図１】
2020066917.tif 000003
【図２】
2020066917.tif 000004
【図３Ａ】
2020066917.tif 000005
【図３Ｂ】
2020066917.tif 000006
【図４Ａ】
2020066917.tif 000007
【図４Ｂ】
2020066917.tif 000008
【図５】
2020066917.tif 000009
【図６】
2020066917.tif 000010
【図７】
2020066917.tif 000011
【図８】
2020066917.tif 000012
【図９】
2020066917.tif 000013
【図１０】
2020066917.tif 000014